(57)【要約】【課題】ビアを使わずに、リードパターンによって接続される導体パターンのネット情報を、自動的に生成することができるネット情報生成装置及びプログラムを提供する。【解決手段】ネット情報生成装置は、導体パターンデータ、絶縁膜パターンデータ、及びリードパターンデータを読み込むデータ読込手段と、絶縁膜パターンが重なり合っていないリードパターン２４の部位を接続部位として抽出する接続部位抽出手段と、接続部位にビア２６ａ，２６ｂを生成するビア生成手段と、複数の導体パターンＸ１１，Ｘ１２にネット情報を付与するときに、ビア２６ａ，２６ｂ及びリードパターン２４で接続される関係の非接続の導体パターンＸ１１，Ｘ１２同士に同一のネット情報ＮＸ１を付与するネット情報付与手段とを、備えているものである。【選択図】図７
2014241068.tif 000002
【特許請求の範囲】
【請求項１】
基材上に形成される複数の導体パターンの配置を示す導体パターンデータと、前記導体パターンの上に形成される絶縁膜パターンの配置を示す絶縁膜パターンデータと、前記絶縁膜パターンの上を通って非接続の前記導体パターン同士に架け渡されて形成され、前記非接続の導体パターン同士を電気的に接続する導電性のリードパターンの配置を示すリードパターンデータとからネット情報を生成するネット情報生成装置であって、
前記導体パターンデータ、前記絶縁膜パターンデータ、及び前記リードパターンデータを読み込むデータ読込手段と、
前記絶縁膜パターンが重なり合っていない前記リードパターンの部位を接続部位として抽出する接続部位抽出手段と、
前記接続部位にビアを生成するビア生成手段と、
前記複数の導体パターンにネット情報を付与するときに、前記ビア及び前記リードパターンで接続される関係の前記非接続の導体パターン同士に同一のネット情報を付与するネット情報付与手段とを、
備えることを特徴とするネット情報生成装置。
【請求項２】
前記導体パターンデータ、前記絶縁膜パターンデータ、及び前記リードパターンデータがタッチパネル用のデータであることを特徴とする請求項１に記載のネット情報生成装置。
【請求項３】
基材上に形成される複数の導体パターンの配置を示す導体パターンデータと、前記導体パターンの上に形成される絶縁膜パターンの配置を示す絶縁膜パターンデータと、前記絶縁膜パターンの上を通って非接続の前記導体パターン同士に架け渡されて形成され、前記非接続の導体パターン同士を電気的に接続する導電性のリードパターンの配置を示すリードパターンデータとからネット情報を生成するためのプログラムであって、
コンピュータを、
前記導体パターンデータ、前記絶縁膜パターンデータ、及び前記リードパターンデータを読み込むデータ読込手段と、
前記絶縁膜パターンが重なり合っていない前記リードパターンの部位を接続部位として抽出する接続部位抽出手段と、
前記接続部位にビアを生成するビア生成手段と、
前記複数の導体パターンにネット情報を付与するときに、前記ビア及び前記リードパターンで接続される関係の前記非接続の導体パターン同士に同一のネット情報を付与するネット情報付与手段と、
して動作させることを特徴とするプログラム。
【請求項４】
前記導体パターンデータ、前記絶縁膜パターンデータ、及び前記リードパターンデータがタッチパネル用のデータであることを特徴とする請求項３に記載のプログラム。
【発明の詳細な説明】
【技術分野】
【０００１】
本発明は、導体パターンデータ、絶縁膜パターンデータ、及びリードパターンデータからネット情報を生成するためのネット情報生成装置、及びプログラムに関するものである。
【背景技術】
【０００２】
プリント基板のネット情報は、導体パターン（ランド含む）、及びビア（スルーホール含む）によって電気接続される繋がり全体を示している。ここでビアとは、多層プリント基板の層間を導電性の孔（例えばメッキ孔）を介して接続するものである。多層プリント基板用のネット情報生成装置は、積層される各層の導体パターン、及び各層を繋ぐビアの配置を示すプリント基板データ（例えばガーバーデータ）から電気的に接続される導体パターンを追跡し、ネット情報（各ネット）を生成する。ネットは、他のネットと区別可能に番号や記号等で示される。同一のネットの導体パターン間には導通があり、異なるネットの導体パターン間には導通がない。
【０００３】
ネット情報生成装置の生成したネット情報に基づき、プリント基板の検査装置は、同一のネットの導体パターン等に組となる導通検査用の検査ポイントを設定し、異なるネットの導体パターン等に組となる非導通検査用の検査ポイントを設定する。検査装置がネット情報生成装置を含んでいる場合もある。検査装置は、製造されたプリント基板に対し、組となる検査ポイントにプローブを接触させて抵抗値を測定し、導通検査や非導通検査を実施する。例えば、特許文献１には、ネットに基づきプローブを接触させる端子（ランド）を設定し導通検査を行う基板検査装置が記載されている。
【０００４】
なお、プリント基板データにネット情報まで付加されている場合には、ネット情報生成装置は不要になる。ネット情報の付加されていないプリント基板製造用データを検査用に用いる場合や、付加されているネット情報がそのまま検査用に使用できない場合に、ネット情報生成装置が必要になる。
【先行技術文献】
【特許文献】
【０００５】
【特許文献１】特開２００８−８７７３号公報
【発明の概要】
【発明が解決しようとする課題】
【０００６】
多層プリント基板用のネット情報生成装置では、ビアにより各層の導体パターンが電気的に接続されるものとして、プリント基板製造用データからネット情報を生成する。しかしながら、例えばタッチパネルでは、導体パターンの形成されている基材が透明なガラス、プラスチック、又は樹脂製シートのため、ビアを用いずに導体パターン同士が接続される。
【０００７】
図３に、タッチパネル２０の基材２１の表面に形成された導体パターンの例を模式的に示す。導体パターンは、透明な導電性の材質で膜状に形成されている。タッチパネル２０は、一例として投影型静電容量方式のものである。タッチパネル２０では、指やタッチペンのタッチを検出するために、タッチ部位検出用の一例として四角形型の複数の導体パターンが縦列、横列にマトリクス状に配置されている。導体パターンは、縦の列ごとに電気的に接続され、横の列ごとに電気的に接続されている。具体的には、縦列Ｘ１の導体パターンＸ１１，Ｘ１２，Ｘ１３，Ｘ１４，Ｘ１５，Ｘ１６，Ｘ１７同士が全て電気的に接続されている。同様に、縦列Ｘ２、縦列Ｘ３、縦列Ｘ４、縦列Ｘ５の導体パターンが列ごとに電気的に接続されている。又、横列Ｙ１の導体パターンＹ１１，Ｙ１２，Ｙ１３，Ｙ１４，Ｙ１５，Ｙ１６同士が全て電気的に接続されている。同様に、横列Ｙ２、横列Ｙ３、横列Ｙ４、横列Ｙ５、横列Ｙ６の導体パターンが列ごとに電気的に接続されている。
【０００８】
図４（ａ）に、図３中の一点鎖線の枠で囲んだ部分の拡大図を示し、その部分のタッチパネル２０の製造途中を図４（ｂ）に示す。図４（ｂ）に示すように、導体パターンＹ１１と導体パターンＹ１２とは、基材２１上に形成された導体パターンＹｃで繋げられて電気的に接続されている。導体パターンＸ１１と導体パターンＸ１２とは、導体パターンＹｃを間に挟んで、互いに離れた位置関係で基材２１上に形成されている。導体パターンＸ１１と導体パターンＸ１２とは、この状態では電気的に非接続（非導通）である。
【０００９】
図４（ａ）に示すように、導体パターンＹｃの上に、絶縁膜パターン２３が形成されている。絶縁膜パターン２３は、透明な絶縁性の材質で膜状に形成されたもので、導体パターンＹｃ上を横切って、一例として導体パターンＸ１１と導体パターンＸ１２とに若干掛かる位置まで形成されている。この絶縁膜パターン２３の上を通って、導体パターンＸ１１、Ｘ１２同士に架け渡されて、リードパターン２４が形成されている。リードパターン２４は透明な導電性の材質で膜状に形成されている。導体パターンＹｃとリードパターン２４とは、絶縁膜パターン２３が間に形成されていることで、非接続（非導通）になっている。リードパターン２４が導体パターンＸ１１、Ｘ１２同士に接触して、導体パターンＸ１１、Ｘ１２同士が電気的に接続されている。
【００１０】
図３に示す導体パターンＸ１２、Ｘ１３の間、Ｘ１３、Ｘ１４の間、Ｘ１４、Ｘ１５の間、Ｘ１５、Ｘ１６の間、Ｘ１６、Ｘ１７の間にも同様に、絶縁膜パターン２３及びリードパターン２４が形成されていて、縦列Ｘ１の導体パターンＸ１１〜Ｘ１７が全て電気的に接続されている。他の縦列Ｘ２〜Ｘ５も同様である。横列Ｙ１の導体パターンＹ１１〜Ｙ１６の間には全て導体パターンＹｃが形成されており、横列Ｙ１の導体パターンＹ１１〜Ｙ１６の全てが一つの導体パターンになって電気的に接続されている。他の縦列Ｙ２〜Ｙ６も同様である。
【００１１】
ネット情報生成装置には、タッチパネル２０の製造用データ（検査用データ）として、導体パターンの配置を示す導体パターンデータ、絶縁膜パターン２３の配置を示す絶縁膜パターンデータ、及び、リードパターン２４の配置を示すリードパターンデータが、例えばガーバーデータ形式やＤＸＦ形式で、ネット情報生成装置に入力される。
【００１２】
従来の多層プリント基板用のネット情報生成装置では、これらデータを読み込んでも、導体パターン（例えば導体パターンＸ１１、Ｘ１２）と、リードパターン２４とがビアで接続されていないので同一のネットであるというネット情報を自動的に生成することができなかった。そのため、オペレータが手動でネット情報を付加する必要があった。リードパターンの数は、実際のタッチパネルでは数百〜数千に及ぶため、その作業は労力及び時間が掛かるものであり、大変な作業であった。
【００１３】
本発明は前記の課題を解決するためになされたもので、ビアを使わずに、リードパターンによって接続される導体パターンのネット情報を、自動的に生成することができるネット情報生成装置及びプログラムを提供することを目的とする。
【課題を解決するための手段】
【００１４】
前記の目的を達成するためになされた、特許請求の範囲の請求項１に記載されたネット情報生成装置は、基材上に形成される複数の導体パターンの配置を示す導体パターンデータと、前記導体パターンの上に形成される絶縁膜パターンの配置を示す絶縁膜パターンデータと、前記絶縁膜パターンの上を通って非接続の前記導体パターン同士に架け渡されて形成され、前記非接続の導体パターン同士を電気的に接続する導電性のリードパターンの配置を示すリードパターンデータとからネット情報を生成するネット情報生成装置であって、前記導体パターンデータ、前記絶縁膜パターンデータ、及び前記リードパターンデータを読み込むデータ読込手段と、前記絶縁膜パターンが重なり合っていない前記リードパターンの部位を接続部位として抽出する接続部位抽出手段と、前記接続部位にビアを生成するビア生成手段と、前記複数の導体パターンにネット情報を付与するときに、前記ビア及び前記リードパターンで接続される関係の前記非接続の導体パターン同士に同一のネット情報を付与するネット情報付与手段とを、備えることを特徴とする。
【００１５】
請求項２に記載されたネット情報生成装置は、請求項１に記載のものであり、前記導体パターンデータ、前記絶縁膜パターンデータ、及び前記リードパターンデータがタッチパネル用のデータであることを特徴とする。
【００１６】
請求項３に記載されたプログラムは、基材上に形成される複数の導体パターンの配置を示す導体パターンデータと、前記導体パターンの上に形成される絶縁膜パターンの配置を示す絶縁膜パターンデータと、前記絶縁膜パターンの上を通って非接続の前記導体パターン同士に架け渡されて形成され、前記非接続の導体パターン同士を電気的に接続する導電性のリードパターンの配置を示すリードパターンデータとからネット情報を生成するためのプログラムであって、コンピュータを、前記導体パターンデータ、前記絶縁膜パターンデータ、及び前記リードパターンデータを読み込むデータ読込手段と、前記絶縁膜パターンが重なり合っていない前記リードパターンの部位を接続部位として抽出する接続部位抽出手段と、前記接続部位にビアを生成するビア生成手段と、前記複数の導体パターンにネット情報を付与するときに、前記ビア及び前記リードパターンで接続される関係の前記非接続の導体パターン同士に同一のネット情報を付与するネット情報付与手段と、して動作させることを特徴とする。
【００１７】
請求項４に記載されたプログラムは、請求項３に記載のものであり、前記導体パターンデータ、前記絶縁膜パターンデータ、及び前記リードパターンデータがタッチパネル用のデータであることを特徴とする。
【発明の効果】
【００１８】
本発明のネット情報生成装置、及びプログラムによれば、ビアを使わずにリードパターンの接触で接続される導体パターンのネット情報を、絶縁膜パターンが重なり合っていないリードパターンの部位を接続部位として接続部位抽出手段が抽出し、その接続部位にビア生成手段がビアを生成することで、従来の多層プリント基板用のネット情報生成装置と同様にして、導体パターン、ビア、リードパターンに基づいて、自動的にネット情報を生成することができる。
【００１９】
導体パターンデータ、絶縁膜パターンデータ、及びリードパターンデータがタッチパネル用のデータである場合、タッチパネルでは数百〜数千に及ぶリードパターンを使用しているので、オペレータが手動で付与していた作業が自動化されるため、短時間かつ簡便、正確にネット情報を付与することができる。
【図面の簡単な説明】
【００２０】
【図１】本発明を適用するネット情報生成装置のブロック図である。
【図２】本発明を適用するネット情報生成装置及びプログラムの動作を示すフローチャートである。
【図３】ネット情報を生成する対象のタッチパネルの構成を示す平面図である。
【図４】図４（ａ）は図３に示すタッチパネルの一点鎖線枠で囲んだ部分の拡大図であり、図４（ｂ）は図４（ａ）に示す部分の製造途中を示す図である。
【図５】本発明における接続部位抽出手段の動作を示すイメージ図である。
【図６】本発明におけるビア生成手段の動作を示すイメージ図である。
【図７】本発明におけるネット情報付与手段の動作を示すイメージ図である。
【発明を実施するための形態】
【００２１】
以下、本発明を実施するための形態を詳細に説明するが、本発明の範囲はこれらの例に限定されるものではない。
【００２２】
図１に、ネット情報生成装置１の構成を示す。このネット情報生成装置１は、一例として、ハードウエアが汎用的なコンピュータにより構成され、このコンピュータを本発明に係るプログラムで動作させることで実現されている。ネット情報生成装置１のハードウエア（つまりコンピュータ）は、ＣＰＵ１１、外部Ｉ／Ｆ（インタフェース）部１２、外部記録装置１３、記憶部１４、表示部１５、及び操作部１６を備えている。
【００２３】
ＣＰＵ１１は、プログラムに従って演算処理や各部の制御を行い、コンピュータ全体を統括的に制御するものである。ＣＰＵ１１は、プログラムに従って動作して、本発明における接続部位抽出手段４、ビア生成手段５、ネット情報付与手段６として動作する。
【００２４】
外部Ｉ／Ｆ部１２は、外部機器接続用のインタフェースである。外部Ｉ／Ｆ部１２は、例えば、無線や有線によるＬＡＮ（ローカル・エリア・ネットワーク）、モデム、ＵＳＢ（ユニバーサル・シリアル・バス）、Ｂｌｕｅｔｏｏｔｈ（登録商標）などである。外部記録装置１３は、ＵＳＢメモリやＳＤ（エスディー）メモリカードなどの携帯可能な半導体メモリや、ＣＤ（コンパクトディスク）−Ｒ（レコーダブル）／ＲＷ（リライタブル）、ＤＶＤといった光学ディスクメモリなどの外部記録媒体にデータを記録したり、外部記録媒体からデータを読み込んだりするための外部記憶媒体の書込／読込装置である。外部Ｉ／Ｆ部１２及び外部記録装置１３は、ＣＰＵ１１に制御されて外部からデータを読み込むことができ、本発明におけるデータ読込手段３になる。外部Ｉ／Ｆ部１２及び外部記録装置１３は、いずれか一方だけが備えられていてもよい。
【００２５】
記憶部１４は、書き換え可能な不揮発性メモリであり、一例として、フラッシュメモリなどの半導体メモリやハードディスクである。この例では、記憶部１４が、動作用のプログラムを記憶するプログラム記憶部と、導体パターンデータ、絶縁膜パターンデータ、リードパターンデータ、及びネット情報データを記憶するデータ記憶部とを兼ねている。
【００２６】
表示部１５は、画像を表示可能な例えば液晶パネル、ＣＲＴ（陰極線管）である。操作部１６は、オペレータの操作をネット情報生成装置１に入力するためのものであり、例えばキーボードやマウスである。表示部１５及び操作部１６がタッチパネルで構成されている場合もある。
【００２７】
次に、ネット情報生成装置１の動作について説明する。
【００２８】
ＣＰＵ１１は、外部Ｉ／Ｆ部１２又は外部記録装置１３からプログラムを外部から読み込み、予め記憶部１４に記憶しておく。ＣＰＵ１１は、オペレータの操作により、又は起動と共に自動的に、記憶部１４に記憶されている本発明に係るプログラムを読み込んで、プログラムに従って動作を開始する。
【００２９】
図２に、プログラムによるネット情報生成装置１の動作（ネット情報の生成処理）をフローチャートに示す。
【００３０】
ステップＳ１で、ＣＰＵ１１は、データ読込手段３から、導体パターンデータ、絶縁膜パターンデータ、及びリードパターンデータを読み込む。読み込むデータは、オペレータによる操作部１６の操作で選択可能であってもよいし、例えばファイル名や拡張子名でＣＰＵ１１が各データであることを判別し、自動的に読み込むようにしてもよい。
【００３１】
導体パターンデータは、前述した図３、図４に表す基材２１上に形成される複数の導体パターンの配置（形状及び位置）を示している。絶縁膜パターンデータは、導体パターンＹｃの上に形成される絶縁膜パターン２３の配置を示している。リードパターンデータは、絶縁膜パターン２３の上を通って非接続の導体パターン同士に架け渡されて形成され、非接続の導体パターン同士を電気的に接続する導電性のリードパターン２４の配置を示している。各データは、タッチパネル２０（図３参照）の設計用ＣＡＤ装置から出力される。導体パターンデータ、絶縁膜パターンデータ、及びリードパターンデータは、一例としてガーバーデータ形式のような各種の製造用データ形式、又はＤＸＦ形式のような各種の設計データ形式（ＣＡＤデータ形式）で、表現されている。導体パターンデータ、絶縁膜パターンデータ、及びリードパターンデータは、１つのデータ内に区別可能に納められていてもよい。ＣＰＵ１１は、読み込んだ各データを記憶部１４に記憶させる。
【００３２】
ステップＳ１で、ＣＰＵ１１は、読み込んだデータのデータ形式を、処理しやすいように変換処理して記憶させてもよい。例えば、各種の製造用データ形式や各種の設計用データ形式で読み込んで、特定の一つのデータ形式に変換（インポート）してから記憶するようにしてもよい。又、例えば、各データがパターンのアウトラインだけを表している形式の場合、ＣＰＵ１１は、後で処理しやすいように、アウトラインで囲まれた領域を塗りつぶす処理を実行し、パターン領域を塗りつぶして表すデータ形式に変換処理をしてから記憶してもよい。このようにデータ形式を変換処理することで、種々のデータ形式に対応可能になったり、後の処理負荷を軽減したりできるため、好ましい。
【００３３】
続いて、ステップＳ２に進み、ＣＰＵ１１は、接続部位抽出手段４として動作して、記憶部１４に記憶した絶縁膜パターンデータ及びリードパターンデータを読み込んで、絶縁膜パターン２３が重なり合っていないリードパターン２４の部位を接続部位として抽出する。
【００３４】
図５に具体例を示す。図５（ａ）は、ＣＰＵ１１が、絶縁膜パターン２３とリードパターン２４とを重ね合わせた状態のイメージ図である。同図では、図４に相当する部位を表している。ここでは、１つの絶縁膜パターン２３及びリードパターン２４に対する処理について説明するが、実際にはＣＰＵ１１はタッチパネル２０全体の絶縁膜パターン２３及びリードパターン２４に対して以下の処理を実行する。
【００３５】
図５（ａ）に示すように、ＣＰＵ１１は、絶縁膜パターン２３とリードパターン２４とを重ね合わせ、続いて、図５（ｂ）に示すように、絶縁膜パターン２３が重なり合っていないリードパターン２４の部位を、接続部位２５ａ及び接続部位２５ｂとして抽出する。重なり合っていない部位の検出方法は、公知の方法を用いることができる。例えば輪郭線に基づいて検出してもよいし、両パターン２３，２４を各々塗りつぶし、塗りつぶし部分の重なっていない部位をビットマップに基づき検出してもよい。
【００３６】
続いて、ステップＳ３に進み、ＣＰＵ１１は、ビア生成手段５として動作して、抽出した接続部位２５ａにビア２６ａを生成し、接続部位２５ｂにビア２６ｂを生成する。
【００３７】
図６に具体例を示す。図６（ａ）に示すように、ＣＰＵ１１は、接続部位２５ａ，２５ｂに内包するようにビア２６ａ，２６ｂを生成する。ビア２６ａ，２６ｂは、実際にタッチパネル２０に形成するために生成しているのではなく、ネット情報を生成するために生成しているので、仮想的なものである。ビア２６ａ，２６ｂのサイズは、接続部位２５ａ，２５ｂに内包されるサイズであれば、どのようなサイズであってもよい。ビア２６ａ，２６ｂは仮想的なものなので、接続部位２５ａ，２５ｂに内包される小さな所定のサイズに予め決めておくことが好ましい。ビア２６ａ，２６ｂの生成位置は、接続部位２５ａ，２５ｂ内であれば限定は無く、図６（ａ）に示すように、例えば接続部位２５ａ，２５ｂの中央（重心）を中心とするように生成してもよいし、図６（ｂ）に示すように、リードパターン２４（図５（ａ）参照）の両端部に接するように、ビア２６ａ，２６ｂを生成してもよい。図６（ｂ）のように生成すると、
絶縁膜パターン２３が導体パターンＸ１１，Ｘ１２に掛かる位置まで形成されていなくても、ビア２６ａ，２６ｂが導体パターンＸ１１，Ｘ１２内に確実に内包されるようになるため、好ましい。
【００３８】
続いて、ステップＳ４に進み、ＣＰＵ１１は、ネット情報付与手段６として動作して、記憶部１４から導体パターンデータ、リードパターンデータを読み込み、複数の導体パターン、ビア２６ａ，２６ｂ、リードパターン２４に基づきネット情報を付与する。ＣＰＵ１１は、複数の導体パターンにネット情報を付与するときに、ビア２６ａ，２６ｂ及びリードパターン２４で接続される関係の非接続の導体パターン（例えば導体パターンＸ１１とＸ１２）同士に同一のネット情報を付与する。ＣＰＵ１１は、生成したネット情報をネット情報データとして記憶部１４に記憶させる。
【００３９】
図７に具体例を示す。同図に示すように、導体パターンＸ１１、ビア２６ａ、リードパターン２４、ビア２６ｂ、及び導体パターンＸ１２は、この順に繋がっている。従って、ＣＰＵ１１は、これらに、同一のネットＮＸ１を付与する。図３に示す導体パターンＸ１１〜Ｘ１７は同様にビア及びリードパターンを介して全て繋がるので、ＣＰＵ１１はこれらに同一のネットＮＸ１を付与する。同様に、ＣＰＵ１１は、縦列Ｘ２〜Ｘ５に、ネットＮＸ２〜ＮＸ５を付与する。
【００４０】
又、図７に示すように、導体パターンＹ１１、Ｙｃ、Ｙ１２は、ビア及びリードパターンを介することなく、全て繋がっているので、ＣＰＵ１１は同一のネットＮＹ１を付与する。図３に示す導体パターンＹ１１〜Ｙ１６は同様に導体パターンＹｃで全て繋がるので、ＣＰＵ１１はこれらに同一のネットＮＹ１を付与する。同様に、ＣＰＵ１１は、横列Ｙ２〜Ｙ６に、ネットＮＹ２〜ＮＹ６を付与する。
【００４１】
以上で、ネット情報の生成処理が終了する。このネット情報に基づいて、プリント基板検査装置が検査ポイントを設定する。
【００４２】
ビア２６ａ，２６ｂを生成することにより、ＣＰＵ１１は、従来の多層プリント基板のネット情報を生成する方法と同様の方法で、ネット情報を自動的に生成することができる。つまり、導体パターンが多層プリント基板の１層（例えば２層プリント基板の第１層）に形成されていて、リードパターンが多層プリント基板の他の１層（例えば２層プリント基板の第２層）に形成されていて、その導体パターンとリードパターンとがビアで接続されている多層プリント基板であるものとして、導体の繋がりを追跡して、ネット情報を生成できる。ステップＳ４では、従来の装置やプログラムを使用することができるので、本発明に係るネット情報生成装置、及びプログラムとするために、従来のネット情報生成装置、及びプログラムからの変更も少なくて済む。つまり、ビア２６ａ，２６ｂを生成するステップＳ２〜Ｓ３に相当するプログラムを、従来のネット情報生成装置やプログラムに組み込めばよい。ステップＳ２〜Ｓ３に相当するプログラムを、従来のネット生成装置やプログラムに、オプション的に組み込めるようにしてもよい。
【００４３】
なお、ステップＳ１で、ＣＰＵ１１が読み込んだ各データを、記憶部１４に記憶させた例について説明したが、処理中に必要になったデータを、その都度、データ読込手段３から読み込むようにしてもよい。又、汎用的なコンピュータを本発明に係るプログラムで動作させることで、ネット情報生成装置１とした例について説明したが、汎用的なコンピュータを用いずに、専用のハードウエアでネット情報生成装置１を構成してもよい。又、タッチパネル２０を対象物としてネット情報を生成する例について説明したが、対象物はタッチパネル２０に限られず、ビアを用いずにリードパターンで導体パターン同士を接続するものであれば、どのような対象物であってもよい。
【００４４】
又、ＣＰＵ１１は、例えば図５〜図７に示した絶縁膜パターン２３、リードパターン２４、接続部位２５ａ，２５ｂ、ビア２６ａ，２６ｂ、導体パターンＸ１１，Ｘ１２、導体パターンＹ１１，Ｙ１２のような画像を、ネット情報の生成処理中に、表示部１５に表示させてもよい。この場合、操作部１６の操作で、表示対象の選択や、表示倍率の変更、表示部位の移動を行えることが好ましい。ＣＰＵ１１は、接続部位抽出手段４の抽出した接続部位２５ａ，２５ｂ、及びビア生成手段５の生成したビア２６ａ，２６ｂを記憶部１４に記憶させて、ネット情報の生成処理後に、任意の画像を表示部１５に表示できるようにしてもよい。
【符号の説明】
【００４５】
１はネット情報生成装置、３はデータ読込手段、４は接続部位抽出手段、５はビア生成手段、６はネット情報付与手段、１１はＣＰＵ、１２は外部Ｉ／Ｆ部、１３は外部記録装置、１４は記憶部、１５は表示部、１６は操作部、１７は操作部、２０はタッチパネル、２１は基材、２３は絶縁膜パターン、２４はリードパターン、２５ａ・２５ｂは接続部位、２６ａ・２６ｂはビア、ＮＸ１〜ＮＸ５・ＮＹ１〜ＮＹ６はネット、Ｘ１〜Ｘ５は縦列、Ｙ１〜Ｙ６は横列、Ｘ１１〜Ｘ１７・Ｙ１１〜Ｙ１６・Ｙｃは導体パターンである。
【図１】
2014241068.tif 000003
【図２】
2014241068.tif 000004
【図３】
2014241068.tif 000005
【図４】
2014241068.tif 000006
【図５】
2014241068.tif 000007
【図６】
2014241068.tif 000008
【図７】
2014241068.tif 000009